(57)【特許請求の範囲】
【請求項１】
管・ケーブルの布設方向に沿って平行する２本の親桁が所定間隔で配設された子桁によって連結されてなる受け具に布設された該管・ケーブルを、該受け具の子桁上を該布設方向に移動しつつ該受け具の一方の親桁側に押寄せる押寄具であって、
長尺に形成され、前記移動と反対方向に向かうに従って前記受け具の一方の親桁側に傾斜した状態で前記受け具の子桁上に載置され、前記傾斜した状態で該管・ケーブルの布設方向に移動することにより、該子桁上に載置されている該管・ケーブルに沿って前記受け具の他方の親桁側から当接して該管・ケーブルを該一方の親桁側に押寄せる押寄体と、
前記押寄体に対してその押寄方向と反対側の位置に配設され、前記受け具の他方の親桁または子桁上に前記管・ケーブルの布設方向に設けられたセパレータに沿って当接し、前記親桁または前記セパレータに沿って当接したときに前記押寄体が前記受け具の一方の親桁側に一定角度に傾斜した状態で、該管・ケーブルの布設方向に移動可能な当接体と
を備えたことを特徴とする管・ケーブル受け具上の管・ケーブル押寄具。
【請求項２】
管・ケーブルの布設方向に沿って平行する２本の親桁が所定間隔で配設された子桁によって連結されてなる受け具に布設された該管・ケーブルを、該受け具の子桁上を該布設方向に移動しつつ該受け具の一方の親桁側に押寄せる押寄具であって、
長尺に形成され、前記移動と反対方向に向かうに従って前記受け具の一方の親桁側に傾斜した状態で前記受け具の子桁上に載置され、前記傾斜した状態で該管・ケーブルの布設方向に移動することにより、該子桁上に載置されている該管・ケーブルに沿って前記受け具の他方の親桁側から当接して該管・ケーブルを該一方の親桁側に押寄せる押寄体と、
前記押寄体における移動方向の前方に取付けられ、前記受け具の他方の親桁または子桁上に前記管・ケーブルの布設方向に設けられたセパレータに当接する前方当接体と、前記前方当接体から前記移動と反対方向に離間して配設され、前記受け具の他方の親桁または前記セパレータに当接する後方当接体とを備え、前記押寄体が前記受け具の一方の親桁側に一定角度に傾斜した状態で、前記管・ケーブルの布設方向に移動可能な当接体と
を備えたことを特徴とする管・ケーブル受け具上の管・ケーブル押寄具。
【請求項３】
管・ケーブルの布設方向に沿って平行する２本の親桁が所定間隔で配設された子桁によって連結されてなる受け具に布設された該管・ケーブルを、該受け具の子桁上を該布設方向に移動しつつ該受け具の一方の親桁側に押寄せる押寄具であって、
長尺に形成され、前記移動と反対方向に向かうに従って前記受け具の一方の親桁側に傾斜した状態で前記受け具の子桁上に載置され、前記傾斜した状態で該管・ケーブルの布設方向に移動することにより、該子桁上に載置されている該管・ケーブルに沿って前記受け具の他方の親桁側から当接して該管・ケーブルを該一方の親桁側に押寄せる押寄体と、
前記押寄体における移動方向の前方に取付けられ、前記受け具の他方の親桁または子桁上に前記管・ケーブルの布設方向に設けられたセパレータに当接する前方当接体と、前記前方当接体から前記移動と反対方向に離間して配設され、前記受け具の他方の親桁または前記セパレータに当接する後方当接体とを備え、前記押寄体が前記受け具の一方の親桁側に一定角度に傾斜した状態で、前記管・ケーブルの布設方向に移動可能な当接体と、
前記押寄体と前記後方当接体との間に取付けられ、前記押寄体と前記当接体とを互いに前記一定角度に傾斜した状態に連結する連結部材と
を具備したことを特徴とする管・ケーブル受け具上の管・ケーブル押寄具。
【請求項４】
前記布設方向への移動時に前記受け具の一方の親桁側に一定角度に傾斜する前記押寄体の該傾斜角度は、調整可能に形成されていることを特徴とする請求項３に記載の管・ケーブル受け具上の管・ケーブル押寄具。
【請求項５】
前記押寄体は、管・ケーブルの布設方向に対する受け具の一方の親桁側への傾斜角度が最大であるとき、少なくとも隣合う３個の子桁に跨り得る長さに形成されたことを特徴とする請求項１乃至請求項４のいずれか１項に記載の管・ケーブル受け具上の管・ケーブル押寄具。
【請求項６】
前記当接体は、ローラで形成されているとともに、
前記押寄体に、一方の親桁側に押寄せる管・ケーブルとの当接部に押寄ローラが取付けられてなることを特徴とする請求項１乃至請求項５のいずれか１項に記載の管・ケーブル受け具上の管・ケーブル押寄具。
【請求項７】
前記押寄体は、管・ケーブルに沿って当接する当接部が受け具の一方の親桁側に湾曲して形成されたことを特徴とする請求項１乃至請求項６のいずれか１項に記載の管・ケーブル受け具上の管・ケーブル押寄具。
【請求項８】
管・ケーブルの布設方向に沿って平行する２本の親桁が所定間隔で配設された子桁によって連結されてなる受け具に布設された該管・ケーブルを該一方の親桁側に押寄せる押寄方法であって、
前記管・ケーブルが布設された前記受け具の子桁上に、請求項１乃至請求項７のいずれか１項に記載の押寄具を載置し、
次いで、該押寄具を該管・ケーブルの布設方向に移動させることにより、前記押寄具の押寄体で該管・ケーブルを該受け具の一方の親桁側に押寄せることを特徴とする管・ケーブル受け具上の管・ケーブル押寄方法。
【発明の詳細な説明】
【０００１】
【発明の属する技術分野】
本発明は、管・ケーブル受け具上に複数の管・ケーブルを布設するために、管・ケーブル受け具上の管・ケーブルを受け具の幅方向における一側に押寄せる管・ケーブル押寄方法及び押寄具に関するものである。
【０００２】
【従来の技術】
従来より、管・ケーブル受け具上に複数の管・ケーブルを布設して配管・配線することが行なわれている。ここで、管・ケーブル受け具は一般には平行する２本の親桁を複数の子桁で連結して梯子状に形成したものが用いられている。管・ケーブル受け具上に複数の管・ケーブルを布設するには、この管・ケーブル受け具上に管・ケーブルを布設した後、その管・ケーブルを一方の親桁側に肩寄せし、他方の親桁側に布設スペースを形成してその布設スペースに他の管・ケーブルを布設するようにしている。このとき、管・ケーブルを一方の親桁側に寄せるには、通常、図８に示すように、下方から受け具２１の複数の子桁２４の間から棒材３２等を挿入して一方の親桁２２にあるケーブル３１または管を他方の親桁２３側に押寄せることによって行なっていた。なお、図８において、前記受け具２１の側壁の上部に形成されたシュータ２５は、前記ケーブル３１を前記受け具２１上に導くための図示しない呼びロープが挿通されるものである。
【０００３】
【発明が解決しようとする課題】
しかし、上記の方法では、管・ケーブルを長さ方向の複数箇所において押寄せることが必要なため、布設の度に作業場所を移動しなければならず、時間がかかり、非常に作業が面倒であった。
【０００４】
そこで、本発明は、作業場所を複数箇所ごとに移動することなく、管・ケーブル受け具上の管・ケーブルを一方の親桁側に押寄せることができ、もって、複数の管・ケーブルを簡単かつ短時間で受け具上に布設することができる管・ケーブル受け具上の管・ケーブル押寄方法及び押寄具の提供を課題とするものである。
【０００５】
【課題を解決するための手段】
請求項１の発明にかかる管・ケーブルの押寄具は、管・ケーブルの布設方向に沿って平行する２本の親桁が所定間隔で配設された子桁によって連結されてなる受け具に布設された該管・ケーブルを、該受け具の子桁上を該布設方向に移動しつつ該受け具の一方の親桁側に押寄せるものであって、長尺に形成され、前記移動と反対方向に向かうに従って前記受け具の一方の親桁側に傾斜した状態で前記受け具の子桁上に載置され、前記傾斜した状態で該管・ケーブルの布設方向に移動することにより、該子桁上に載置されている該管・ケーブルに沿って前記受け具の他方の親桁側から当接して該管・ケーブルを該一方の親桁側に押寄せる押寄体と、前記押寄体に対してその押寄方向と反対側の位置に配設され、前記受け具の他方の親桁または子桁上に前記管・ケーブルの布設方向に設けられたセパレータに沿って当接し、前記親桁または前記セパレータに沿って当接したときに前記押寄体が前記受け具の一方の親桁側に一定角度に傾斜した状態で、該管・ケーブルの布設方向に移動可能な当接体とを備えたものである。
【０００６】
請求項２の発明にかかる管・ケーブルの押寄具は、管・ケーブルの布設方向に沿って平行する２本の親桁が所定間隔で配設された子桁によって連結されてなる受け具に布設された該管・ケーブルを、該受け具の子桁上を該布設方向に移動しつつ該受け具の一方の親桁側に押寄せるものであって、長尺に形成され、前記移動と反対方向に向かうに従って前記受け具の一方の親桁側に傾斜した状態で前記受け具の子桁上に載置され、前記傾斜した状態で該管・ケーブルの布設方向に移動することにより、該子桁上に載置されている該管・ケーブルに沿って前記受け具の他方の親桁側から当接して該管・ケーブルを該一方の親桁側に押寄せる押寄体と、前記押寄体における移動方向の前方に取付けられ、前記受け具の他方の親桁または子桁上に前記管・ケーブルの布設方向に設けられたセパレータに当接する前方当接体と、前記前方当接体から前記移動と反対方向に離間して配設され、前記受け具の他方の親桁または前記セパレータに当接する後方当接体とを備え、前記押寄体が前記受け具の一方の親桁側に一定角度に傾斜した状態で、前記管・ケーブルの布設方向に移動可能な当接体とを備えたものである。
【０００８】
請求項３の発明にかかる管・ケーブルの押寄具は、管・ケーブルの布設方向に沿って平行する２本の親桁が所定間隔で配設された子桁によって連結されてなる受け具に布設された該管・ケーブルを、該受け具の子桁上を該布設方向に移動しつつ該受け具の一方の親桁側に押寄せるものであって、長尺に形成され、前記移動と反対方向に向かうに従って前記受け具の一方の親桁側に傾斜した状態で前記受け具の子桁上に載置され、前記傾斜した状態で該管・ケーブルの布設方向に移動することにより、該子桁上に載置されている該管・ケーブルに沿って前記受け具の他方の親桁側から当接して該管・ケーブルを該一方の親桁側に押寄せる押寄体と、前記押寄体における移動方向の前方に取付けられ、前記受け具の他方の親桁または子桁上に前記管・ケーブルの布設方向に設けられたセパレータに当接する前方当接体と、前記前方当接体から前記移動と反対方向に離間して配設され、前記受け具の他方の親桁または前記セパレータに当接する後方当接体とを備え、前記押寄体が前記受け具の一方の親桁側に一定角度に傾斜した状態で、前記管・ケーブルの布設方向に移動可能な当接体と、前記押寄体と前記後方当接体との間に取付けられ、前記押寄体と前記当接体とを互いに前記一定角度に傾斜した状態に連結する連結部材とを具備したものである。
【００１１】
請求項４の発明にかかる管・ケーブルの押寄具は、請求項３に記載の布設方向への移動時に受け具の一方の親桁側に一定角度に傾斜する押寄体の該傾斜角度が、調整可能に形成されているものである。
【００１２】
請求項５の発明にかかる管・ケーブルの押寄具は、請求項１乃至請求項４のいずれか１項に記載の押寄体が、管・ケーブルの布設方向に対する受け具の一方の親桁側への傾斜角度が最大であるとき、少なくとも隣合う３個の子桁に跨り得る長さに形成されたものである。
【００１３】
請求項６の発明にかかる管・ケーブルの押寄具は、請求項１乃至請求項５のいずれか１項に記載の当接体が、ローラで形成されているとともに、前記押寄体に、一方の親桁側に押寄せる管・ケーブルとの当接部に押寄ローラが取付けられたものである。
【００１５】
請求項７の発明にかかる管・ケーブルの押寄具は、請求項１乃至請求項６のいずれか１項に記載の押寄体が、管・ケーブルに沿って当接する当接部が受け具の一方の親桁側に湾曲して形成されたものである。
また、請求項８の発明にかかる管・ケーブルの押寄方法は、管・ケーブルの布設方向に沿って平行する２本の親桁が所定間隔で配設された子桁によって連結されてなる受け具に布設された該管・ケーブルを該一方の親桁側に押寄せるものであって、前記管・ケーブルが布設された前記受け具の子桁上に、請求項１乃至請求項７のいずれか１項に記載の押寄具を載置し、次いで、該押寄具を該管・ケーブルの布設方向に移動させることにより、前記押寄具の押寄体で該管・ケーブルを該受け具の一方の親桁側に押寄せるものである。
【００１６】
【発明の実施の形態】
以下、本発明の実施例を図１乃至図８に基づいて説明する。
図において、押寄具１は円弧状に湾曲した押寄体２と、受け具２１の親桁と当接し、これを案内として白抜き矢印方向に移動する当接体３とで構成されている。前記受け具２１は、図８に示すように、平行する２本の親桁２２及び親桁２３が所定間隔で配設された子桁２４によって連結されて梯子状に形成されたものであり、その上部にケーブル３１が布設されるものである。前記親桁２２及び親桁２３の上部にはケーブル３１を受け具２１上に導くためのシュータ２５が設けられており、その内部に図示しない呼びロープを挿通してケーブル３１を受け具２１の子桁２４に布設することができるようになっている。
【００１７】
一方、前記押寄具１の押寄体２は、図３に示すように、断面がコ字状に形成されたアルミニウム材、鋼材等からなる枠材４に軸５を介して押寄ローラ６が軸着されたものであり、一端には前記当接体３の取付部７が設けられている。また、前記押寄体２の他端寄りには断面略コ字状の位置調整部材８が取付けられており、その位置調整部材８の両側面には所定間隔で複数の調整孔９が穿設されている。
【００１８】
また、当接体３は当接面が凹部形成された２個のローラで形成されており、その凹部形成部分が、図４に示すように、前記受け具２１のシュータ２５の部分と係合してこれから離脱することなく親桁２３に沿って移動できるようになっている。但し、前記当接体３であるローラはシュータ２５の部分で当接する場合に限られるものではなく、図５に示すように、前記シュータ２５より下方の側壁と当接するものであっても構わない。前方の当接体３は前記押寄体２の取付部７に軸着されており、後方の当接体３は連結部材１０及び連結部材１１によって連結されている。連結部材１０は湾曲形成され、前記押寄体２の取付部７から所定長さ離間した位置に取付けられた取付部１２に軸着されており、連結部材１１は一端が前記連結部材１０に、他端が軸１３を介して前記位置調整部材８の調整孔９に軸着されている。したがって、連結部材１１における他端の軸１３の調整孔９への取付位置を変更することによって、押寄体２の親桁２２側の端部と前記当接体３との距離を自在に変更できるようになっている。そして、受け具２１に押寄具１を載置し、当接体３を親桁２３に当接させると、押寄体２は親桁２３から対向する親桁２２に向かって傾斜する状態に載置されることになる。
【００１９】
ここで、前記押寄具１の押寄体２は、親桁との傾斜角度が最大となる位置に連結部材１１の調整孔９との取付位置を設定されたときに、図１の親桁に沿う全長Ｌ１が３個の子桁２４に跨るスパン即ち図１のＬ２よりも大きく設定されている。これは、押寄具１が受け具２１上を移動するときに子桁２４の間から落下しないようにするためである。
【００２０】
次に、上記のように構成された本実施例の押寄具を使用して受け具上の管・ケーブルを一方の親桁側に押寄せる方法及び押寄具の動作について説明する。
受け具２１上にケーブル３１が布設されている状態で、別のケーブル３１を同じ受け具２１上に布設するには、押寄具１を前記受け具２１の一端に載置した後、この受け具２１を親桁２３側に寄せて当接体３を親桁２３に当接させる。なお、押寄具１はこれを受け具２１上に載置して引張ると、ケーブル３１の自重によって親桁２３側に押寄せられるので、前記当接体３は押寄具１の引張りに伴って親桁２３に当接するようにしてもよい。
【００２１】
次に、予め受け具１上に布設しておいた呼びロープ３３を押寄具１に接続し、前記呼びロープを受け具２１の他側に向かって引張る。すると、押寄具１上に任意の状態で載置されていたケーブル３１は押寄具１の移動に伴って一方の親桁２２側に押寄せられていく。押寄具１を布設路全体に至って移動させれば、同時にケーブル３１は全長に至って親桁２２側に押寄せれる。前記ケーブル３１が親桁２２側に押寄せられれば、受け具２１上には次のケーブル３１を布設するためのスペースが形成されるので、次のケーブル３１が予め布設されているケーブル３１上に重なることがなく、円滑に布設作業を行なうことができる。
【００２２】
次に、ケーブル３１を載置して親桁２３側に押寄せた後、２番目のケーブル３１を載置してこれを押寄せる場合は、先のケーブル３１分だけ幅が狭くなっているので、位置調整部材８における連結部材１１の軸１３の取付位置を調整して押寄具１の幅寸法を小さくし、押寄対応することができる。
【００２３】
なお、押寄具１は、前述のように、一端部に呼びロープ３３を使用して受け具２１上で引張っていくことにより、受け具２１上のケーブル３１を一側に押寄せるものであるが、押寄具１の他端部にケーブル３１或いは呼びロープを連結しておけば、押寄具１を引張っていくことにより、前記ケーブル３１或いは呼びロープを同時に受け具２１上に布設させることも可能である。即ち、この場合は、押寄せとケーブル３１等の布設とを同時に行なうことができるので、作業性が向上する。
また、ケーブル３１の押寄せについては、他に、ケーブル３１及び呼びロープを共に押寄具１に連結し、押寄具１を引張って他端側に移動させ、ケーブル３１及び呼びロープを布設した後、他端側で押寄具１を反転し、これを前記呼びロープを使用して元の位置に引き戻すことにより、受け具２１上に布設した前記ケーブル３１を幅方向に押寄せるということもできる。
【００２４】
更に、押寄具１は呼びロープで引張るのに代えてモータ駆動等を使用して自走で移動できるようにしてもよい。
また、前記押寄体２の底面に子桁２４との間の滑りを良くするために、図３に示すように、フッ素樹脂、ポリエチレン樹脂等の摩擦軽減用樹脂テープ４ａなどを貼着しておくとよい。
【００２５】
次に、受け具２１の親桁の間隔が異なる場合、例えば、間隔が大きい場合には、図２に示すように、押寄具１の連結部材１１の端部を位置調整部材８の端に位置する調整孔９に取付けることにより、傾斜角度を大きくして押寄具１の幅を広げることができる。
【００２６】
このように、本実施例の管・ケーブル押寄方法は、ケーブル３１が布設された受け具２１上に、該受け具２１に当接する当接体３と前記ケーブル３１を該当接体３の反当接方向に押寄せる押寄体２とを備えた押寄具１を載置し、次いで、該押寄具１を該受け具２１の長手方向に移動させることにより、該当接体３が該受け具２１に当接された押寄具１の押寄体２で前記ケーブル３１を該受け具２１の幅方向へ押寄せるものである。
【００２７】
したがって、押寄具１を受け具２１の一端から他端に向けて移動させるだけで、斜めに載置された押寄体２がケーブル３１を親桁２２側に押寄せるので、ケーブル３１の複数箇所ごとに作業場所を移動する手間をかけることなく、簡単にかつ簡易な構造で複数のケーブル３１を受け具２１上に布設することができる。
【００２８】
また、前記押寄具１の連結部材１０は湾曲形成されているので、図６に示すように、受け具２１の曲がり部分においても親桁２３との干渉を防止できて押寄具１を支障なく移動させることができる。
加えて、押寄具１の押寄体２には押寄ローラ６が取付けられており、また、当接体３はローラで形成されているので、押寄具１を円滑に移動させることができる。
更に、上記実施例では、押寄具１はケーブル３１の布設時に一側に片寄せつつ複数のケーブル３１を布設していくものを示しているが、他に、一旦受け具２１上に布設したケーブル３１が蛇行している場合にこれを直線に整列させるために使用することもできる。
【００２９】
また、押寄具１を受け具２１上で移動させる方法としては、予め受け具２１上に布設した呼びロープ３３を使用して引張る、または、シュータ２５に挿通した送り込み可能な剛性を有する呼びロープ３３を使用して引張る、或いは、自走で移動させるなどの方法があるが、このうち、シュータ２５に呼びロープ３３を挿通してこれを引張っていくものである場合には、押寄具１を引張っていくときに、呼びロープ３３は前記シュータ２５内に挿通されているため、呼びロープ３３が受け具２１の曲がり部分で受け具２１の親桁２２または親桁２３を超えて外れてしまうのが防止される。
【００３０】
ところで、受け具２１の間隔が更に大きい場合にも対処するために、図７に示すように、当接体３にかさ上げ部材１４を取付けるようにしてもよい。このかさ上げ部材１４は２本の棒部材１５を使用し、一方の棒部材１５の位置調整部材１６への取付位置を適宜変更することによって巾寸法を伸縮できるようになっている。
また、上記実施例においては、複数のケーブル３１を区分けして受け具２１上に布設するべく、各子桁２４上に長手方向に所定高さの板部材などからなるセパレータを立設し、当接体３はこのセパレータに当接するものとしてもよい。この場合には、請求項２及び請求項５の態様に相当するものとなる。
そして、上記実施例は、ケーブル３１に適用したものを示しているが、本発明は、管の布設にも適用されるものである。
【００３１】
【発明の効果】
以上のように、本発明の管・ケーブルの押寄具は、長尺に形成され、受け具の一方の親桁側に傾斜した状態で前記受け具の子桁上を管・ケーブルの布設方向に移動することにより、該管・ケーブルに沿って前記受け具の他方の親桁側から当接して該管・ケーブルを該一方の親桁側に押寄せる押寄体と、前記受け具の他方の親桁または子桁上に前記管・ケーブルの布設方向に設けられたセパレータに沿って当接し、前記親桁または前記セパレータに沿って当接したときに前記押寄体が前記受け具の一方の親桁側に一定角度に傾斜した状態で、該管・ケーブルの布設方向に移動可能な当接体とを備えたものである。したがって、押寄具を受け具の一端から他端に向けて移動させるだけで、斜めに載置された押寄体が管・ケーブルを一方の親桁側に押寄せるので、管・ケーブルの複数箇所ごとに作業場所を移動する手間をかけることなく、簡単にかつ簡易な構造で複数の管・ケーブルを受け具上に布設することができる。また、請求項７に記載の発明では、押寄体は、管・ケーブルとの当接部が管・ケーブル受け具の一方の親桁側に湾曲して形成されているので、特に、受け具の曲がり部分においても円滑に押寄具を引張ることができる。
【図面の簡単な説明】
【図１】本発明の実施例の押寄具を示す平面図である。
【図２】図１の押寄具を広げた状態を示す平面図である。
【図３】図１のＡ−Ａ切断線による断面図である。
【図４】図１のローラが受け具の親桁に当接する状態を示す側面図である。
【図５】図１のローラが受け具の親桁に当接する他の状態を示す側面図である。
【図６】  図１の押寄具が受け具の曲がり部分を移動する状態を示す平面図である。
【図７】  図１の押寄具にかさ上げ部材を取付けた押寄具を示す平面図である。
【図８】従来の管・ケーブルの押寄せ方法を示す側面図である。
【符号の説明】
１    押寄具
２    押寄体
３    当接体
６    押寄ローラ
８    位置調整部材
９    調整孔
１４  かさ上げ部材
２１  受け具
２２、２３  親桁
２４  子桁
３１  ケーブル
【図１】
0003643905.tif 000002
【図２】
0003643905.tif 000003
【図３】
0003643905.tif 000004
【図４】
0003643905.tif 000005
【図５】
0003643905.tif 000006
【図６】
0003643905.tif 000007
【図７】
0003643905.tif 000008
【図８】
0003643905.tif 000009